(57)【要約】【課題】静電チャック表層の残留電荷による吸着を防ぐ。【解決手段】被処理体を静電吸着する静電チャック１０６から被処理体を離脱させるための離脱制御方法であって、プラズマ処理後にチャンバＣ内に不活性ガスを導入し、除電処理を行う除電ステップと、前記除電ステップ後、ヘリウムガスよりイオン化エネルギーが低いガスを導入し、前記チャンバＣ内の圧力を前記プラズマ処理における圧力又は前記除電ステップにおける圧力より高い圧力に維持する高圧ステップと、前記高圧ステップにより前記高い圧力を維持している間又は維持後、被処理体を支持ピン８１で前記静電チャック１０６から離脱させる離脱ステップと、を有することを特徴とする離脱制御方法が提供される。【選択図】図８
2014056928.tif 000002
【特許請求の範囲】
【請求項１】
被処理体を静電吸着する静電チャックから被処理体を離脱させるための離脱制御方法であって、
プラズマ処理後にチャンバ内に不活性ガスを導入し、除電処理を行う除電ステップと、
前記除電ステップ後、ヘリウムガスよりイオン化エネルギーが低いガスを導入し、前記チャンバ内の圧力を前記プラズマ処理における圧力又は前記除電ステップにおける圧力より高い圧力に維持する高圧ステップと、
前記高圧ステップにより前記高い圧力を維持している間又は維持後、被処理体を支持ピンで前記静電チャックから離脱させる離脱ステップと、
を有することを特徴とする離脱制御方法。
【請求項２】
前記高圧ステップは、前記チャンバ内の圧力を５００ｍＴ（６６．７Ｐａ）より大きい値に設定することを特徴とする請求項１に記載の離脱制御方法。
【請求項３】
前記離脱ステップは、前記チャンバ内の圧力が定常状態になってから被処理体を前記支持ピンで前記静電チャックから離脱することを特徴とする請求項１又は２に記載の離脱制御方法。
【請求項４】
前記高圧ステップにて導入するガスの流量は、前記除電ステップにて導入するガスの流量より多いことを特徴とする請求項１〜３のいずれか一項に記載の離脱制御方法。
【請求項５】
前記高圧ステップにて導入するガスは、Ｎ２ガス、Ｏ２ガス、Ａｒガス又はこれらのガスのうちの少なくとも２以上の混合ガスであることを特徴とする請求項１〜４のいずれか一項に記載の離脱制御方法。
【請求項６】
前記チャンバ内の圧力を定常状態にするために予め定められた時間経過後、少なくとも１０秒間、前記静電チャックの電圧をモニタする監視ステップを更に有し、
前記離脱ステップは、前記監視ステップにて前記静電チャックの電圧に所定以上の変動を検出した場合、前記支持ピンで被処理体を離脱する処理を停止することを特徴とする請求項１〜５のいずれか一項に記載の離脱制御方法。
【請求項７】
チャック電極を有し、被処理体を静電吸着する静電チャックと、
プラズマ処理後にチャンバ内に不活性ガスを導入し、除電処理を行う制御部と、を備え、
前記制御部は、
前記除電ステップ後、ヘリウムガスよりイオン化エネルギーが低いガスを導入し、前記チャンバ内の圧力を前記プラズマ処理における圧力より高い圧力又は前記除電処理における圧力に維持している間又は維持後、被処理体を支持ピンで前記静電チャックから離脱させる、
ことを特徴とするプラズマ処理装置。
【請求項８】
前記静電チャックの表面は凸形状等の突起を有することを特徴とする請求項７のプラズマ処理装置。
【発明の詳細な説明】
【技術分野】
【０００１】
本発明は、離脱制御方法及びプラズマ処理装置に関する。
【背景技術】
【０００２】
プラズマ処理は、処置容器内を負圧に制御した雰囲気にて行われることが多い。その際、被処理体は、処理容器内の載置台に設けられた静電チャック（ＥＳＣ：Ｅｌｅｃｔｒｏｓｔａｔｉｃ  Ｃｈｕｃｋ）上に載置される。
【０００３】
静電チャックは、導電性のシート状のチャック電極の表裏を誘電部材にて挟んだ構成をしている。そして、直流電圧源からチャック電極に電圧を印加することにより生じるクーロン力によって、被処理体を静電チャックの表面に吸着させる。プラズマ処理は、このように静電チャック表面に被処理基板が吸着した状態で行う。そして、ウエハ裏面と静電チャック表面の間に伝熱ガスを供給する場合もある。
【０００４】
プラズマ処理が終了した際には、静電チャック電極への電圧の印加を停止してクーロン力を解消させ、静電チャックから被処理体を離脱させる。離脱方法として、載置台内部に組み込まれた支持ピンを上昇させて、被処理体を静電チャックから持ち上げる方法が一般的である。
【０００５】
より確実に被処理基板を離脱させるために、被処理基板及び静電チャックに残留している電荷を積極的に除電する方法が用いられる場合もある。例えば、チャック電極への印加を停止した後に、不活性ガスを導入しチャンバ内を所定の圧力に維持し、更にプラズマ生成用の高周波電力を印加して、被処理基板をエッチングしない程度の弱いプラズマを生成して静電チャック及び被処理体に存在する電荷をプラズマ空間中に移動させる除電処理が行われる場合がある。
【０００６】
例えば、特許文献１では、プラズマ処理後、前記ウエハをエッチングしない程度の弱い高周波電力を印加し、伝熱ガスを停止する。前記高周波電力で生成されるプラズマ中のイオン又は電子は、ウエハ表面と静電チャックの保持面との間に入り込み、ウエハの周縁部から中心に向かってウエハの表面に帯電する残留電荷を中和する。この中和の進行とともにピンを上昇させてウエハを離脱させる。
【先行技術文献】
【特許文献】
【０００７】
【特許文献１】特許第３３１５１９７号公報
【発明の概要】
【発明が解決しようとする課題】
【０００８】
ところが、長時間のプラズマ処理により、静電チャック表面に反応生成物が堆積する場合がある。このような堆積物は、一般的に容易に電荷を蓄積してしまう。よって、プラズマ処理時間の経過とともに、静電チャックの表面に残留する電荷量が増えていくことになる。このようにして、静電チャックの表層に残留した電荷は、上述の除電処理を行っても除電することができない場合が多い。そして、残留電荷による静電吸着力が残った状態で支持ピンを上昇させてしまうと、被処理体に割れやズレといった不具合が発生することになる。
【０００９】
上記課題に対して、本発明は、静電チャック表層の残留電荷による吸着を防ぐことが可能な離脱制御方法及びプラズマ処理装置を提供することにある。
【課題を解決するための手段】
【００１０】
上記課題を解決するために、本発明の一態様によれば、
チャック電極を有し、被処理体を静電吸着する静電チャックから被処理体を離脱させるための離脱制御方法であって、
プラズマ処理後にチャンバ内に不活性ガスを導入し、除電処理を行う除電ステップと、
前記除電ステップ後、ヘリウムガスよりイオン化エネルギーが低いガスを導入し、前記チャンバ内の圧力を前記プラズマ処理における圧力より高い圧力に維持する高圧ステップと、
前記高圧ステップにより前記高い圧力を維持している間又は維持後、被処理体を支持ピンで前記静電チャックから離脱させる離脱ステップと、
を有することを特徴とする離脱制御方法が提供される。
【００１１】
また、上記課題を解決するために、本発明の他の態様によれば、
チャック電極を有し、被処理体を静電吸着する静電チャックと、
プラズマ処理後にチャンバ内に不活性ガスを導入し除電処理を行う制御部と、を備え、
前記制御部は、
前記除電ステップ後、ヘリウムガスよりイオン化エネルギーが低いガスを導入し、前記チャンバ内の圧力を前記プラズマ処理における圧力より高い圧力に維持している間又は維持後、被処理体を支持ピンで前記静電チャックから離脱させる、
ことを特徴とするプラズマ処理装置が提供される。
【発明の効果】
【００１２】
本発明によれば、静電チャック表層の残留電荷による吸着を防ぐことができる。
【図面の簡単な説明】
【００１３】
【図１】一実施形態に係るエッチング装置の断面図。
【図２】一実施形態に係る静電チャックでの残留電荷発生を説明する図。
【図３】一実施形態に係る高圧ステップによる残留電荷効果を説明する図。
【図４】一実施形態に係る高圧ステップのガス種による残留電荷効果を説明する図。
【図５】一実施形態に係る制御装置の機能構成図。
【図６】一実施形態に係る離脱制御方法を示したフローチャート。
【図７】一実施形態に係る離脱制御方法と比較する離脱制御方法とを示したタイムチャート。
【図８】一実施形態に係る高圧ステップを４枚のウエハについて行った場合の静電チャックの電圧の振れを示した図。
【図９】図８の１枚目のウエハについての静電チャックの電圧の振れを示した図。
【図１０】図８の２枚目のウエハについての静電チャックの電圧の振れを示した図。
【図１１】図８の３枚目のウエハについての静電チャックの電圧の振れを示した図。
【図１２】図８の４枚目のウエハについての静電チャックの電圧の振れを示した図。
【図１３】一実施形態に係る高圧ステップにおける圧力と静電チャック電圧を示した図。
【図１４】一実施形態に係る高圧ステップにおける圧力と静電チャック電圧を示した図。
【図１５】一実施形態に係る高圧ステップにおける圧力と静電チャック電圧を示した図。
【図１６】一実施形態に係る高圧ステップにおける圧力と静電チャック電圧を示した図。
【図１７】一実施形態に係るウエハの表面電位を計測する装置構成図。
【図１８】一実施形態の高圧ステップにおけるウエハの表面電位の計測結果を示した図。
【図１９】一実施形態の高圧ステップにおける吸着状況の時間依存を示した図。
【図２０】一実施形態の高圧ステップにおける吸着状況のガス依存を示した図。
【図２１】一実施形態の高圧ステップにおけるガス種と静電チャックの電圧を示した図。
【図２２】一実施形態の高圧ステップにおけるガス種と静電チャックの電圧を示した図。
【図２３】一実施形態の高圧ステップにおけるガス種と静電チャックの電圧を示した図。
【図２４】一実施形態の高圧ステップにおけるガス種と静電チャックの電圧を示した図。
【図２５】一実施形態の高圧ステップにおけるガス種と静電チャックの電圧を示した図。
【図２６】一実施形態の高圧ステップにおけるガス種と静電チャックの電圧を示した図。
【図２７】中性原子から最外殻の電子１個を取り出すのに要するエネルギーを示した表。
【図２８】一実施形態の変形例に係る離脱制御方法を示したフローチャート。
【図２９】一実施形態の変形例に係る離脱制御方法を説明するための図。
【発明を実施するための形態】
【００１４】
以下に添付図面を参照しながら、本発明の実施形態について説明する。なお、本明細書及び図面において、実質的に同一の機能構成を有する構成要素については、同一の符号を付することにより重複説明を省略する。
【００１５】
［エッチング装置］
まず、本発明の一実施形態に係るエッチング装置の一例を、図１を参照しながら説明する。図１は、平行平板プラズマにおいて下部２周波数印加型の平行平板エッチング装置の縦断面図である。
【００１６】
エッチング装置１０は、内部が気密に保持され、電気的に接地されたチャンバＣを有している。エッチング装置１０は、ガス供給源１２０に接続されている。チャンバＣは円筒状であり、例えば表面を陽極酸化処理されたアルミニウム等から構成され、内部にはシリコン基板Ｗを支持する載置台１０２が設けられている。載置台１０２は、下部電極としても機能する。載置台１０２は、導体の支持台１０４に支持されており、絶縁板１０３を介して昇降機構１０７により昇降可能となっている。昇降機構１０７は、チャンバＣに配設され、ステンレス鋼よりなるベローズ１０８により覆われている。ベローズ１０８の外側にはベローズカバー１０９が設けられている。載置台１０２の上方の外周には、例えば単結晶シリコンで形成されたフォーカスリング１０５が設けられている。更に、載置台１０２及び支持台１０４の周囲を囲むように、例えば石英等からなる円筒状の内壁部材１０３ａが設けられている。
【００１７】
載置台１０２には、第１の整合器１１１ａを介して第１の高周波電源１１０ａが接続され、第１の高周波電源１１０ａから所定周波数（例えば４０ＭＨｚ）のプラズマ生成用の高周波電力が供給されるようになっている。また、載置台１０２には、第２の整合器１１１ｂを介して第２の高周波電源１１０ｂが接続され、第２の高周波電源１１０ｂから所定周波数（例えば３．２ＭＨｚ）のバイアス用の高周波電力が供給されるようになっている。一方、載置台１０２の上方には、載置台１０２と平行に対向するように上部電極として機能するシャワーヘッド１１６が設けられており、シャワーヘッド１１６と載置台１０２とは一対の電極として機能するようになっている。
【００１８】
載置台１０２の上面には、基板Ｗを静電吸着するための静電チャック１０６が設けられている。静電チャック１０６は、絶縁体１０６ｂの間にチャック電極１０６ａを挟み込んだ構造となっている。チャック電極１０６ａには直流電圧源１１２が接続され、直流電圧源１１２から電極１０６ａに直流電圧が印加されることにより、クーロン力によって基板Ｗが静電チャック１０６に吸着される。
【００１９】
支持体１０４の内部には、冷媒流路１０４ａが形成されている。冷媒流路１０４ａには、冷媒入口配管１０４ｂ、冷媒出口配管１０４ｃが接続されている。冷媒流路１０４ａ中に適宜冷媒として例えば冷却水等を循環させることにより、基板Ｗを所定の温度に制御する。
【００２０】
伝熱ガス供給源８５は、ヘリウムガス（Ｈｅ）やアルゴンガス（Ａｒ）等の伝熱ガスをガス供給ライン１３０に通して静電チャック１０６上のウエハＷ裏面に供給する。
【００２１】
載置台１０２の内部には、外部の図示しない搬送アームとの間でウエハＷの受け渡しを行うためにウエハＷを昇降させる支持ピン８１が複数（例えば３本）設けられている。複数の支持ピン８１は、連結部材８２を介して伝えられるモータ８４の動力により上下動する。チャンバＣの外部へ向けて貫通する支持ピン８１の貫通孔には底部ベローズ８３が設けられ、チャンバＣ内の真空側と大気側との間の気密を保持する。
【００２２】
シャワーヘッド１１６は、チャンバＣの天井部分に設けられている。シャワーヘッド１１６は、本体部１１６ａと電極板をなす上部天板１１６ｂとを有している。シャワーヘッド１１６は、絶縁性部材１４５を介してチャンバＣの上部にてチャンバＣの側壁に支持されている。本体部１１６ａは、導電性材料、例えば表面が陽極酸化処理されたアルミニウムからなり、その下部に上部天板１１６ｂを着脱可能に支持する。
【００２３】
本体部１１６ａの内部には、ガスの拡散室１２６ａが設けられ、拡散室１２６ａの下部に位置するように、本体部１１６ａの底部には多数のガス通流孔１１６ｄが形成されている。上部天板１１６ｂには、上部天板１１６ｂを厚さ方向に貫通するようにガス導入孔１１６ｅがガス通流孔１１６ｄと連通するように設けられている。このような構成により、拡散室１２６ａに供給されたガスは、ガス通流孔１１６ｄ及びガス導入孔１１６ｅを介してチャンバＣ内のプラズマ処理空間にシャワー状に導入される。なお、本体部１１６ａ等には、冷媒を循環させるための図示しない配管が設けられ、シャワーヘッド１１６を冷却して所望の温度に調整する。
【００２４】
本体部１１６ａには、拡散室１２６ａへガスを導入するためのガス導入口１１６ｇが形成されている。ガス導入口１１６ｇには、ガス供給源１２０が接続されている。ガス供給源１２０は、プロセス中、ウエハＷにエッチング処理を実行するためのエッチングガスを供給する。
【００２５】
シャワーヘッド１１６には、ローパスフィルタ（ＬＰＦ）１５１を介して可変直流電圧源１５２が電気的に接続されている。可変直流電圧源１５２は、オン・オフスイッチ１５３により給電のオン・オフが可能となっている。第１の高周波電源１１０ａ及び第２の高周波電源１１０ｂから高周波が載置台１０２に印加され、プラズマ処理空間にプラズマが発生する際には、必要に応じてオン・オフスイッチ１５３をオンに制御する。これにより、シャワーヘッド１１６に所定の直流電圧が印加される。
【００２６】
チャンバＣの側壁からシャワーヘッド１１６の高さ位置よりも上方に延びるように円筒状の接地導体１０１ａが設けられている。この円筒状の接地導体１０１ａは、その上部に天板を有している。チャンバＣの底部には、排気口１７１が形成されている。排気口１７１には、排気装置１７３が接続されている。排気装置１７３は、真空ポンプを有し、真空ポンプを作動させることによりチャンバＣ内を所定の真空度まで減圧する。チャンバＣの側壁にはゲートバルブ１７５が設けられ、その開閉により搬入出口１７４から基板Ｗを搬入又は搬出する。
【００２７】
載置台１０２の処理時における上下方向の位置に対応するチャンバＣの周囲には、環状又は同心状に延在するダイポールリング磁石１２４が配置されている。
【００２８】
かかる構成により、載置台１０２とシャワーヘッド１１６との間の空間には、第１の高周波電源１１０ａにより鉛直方向のＲＦ電界が形成されるとともに、ダイポールリング磁石１２４により水平磁界が形成される。これらの直交電磁界を用いるマグネトロン放電により、載置台１０２の表面近傍に高密度のプラズマが生成される。
【００２９】
制御装置１００は、エッチング装置１０に取り付けられた各部、たとえばガス供給源１２０、排気装置１７３、高周波電源１１０ａ、１１０ｂ、整合器１１１ａ、１１１ｂ、直流電圧源１１２、モータ８４及び伝熱ガス供給源８５を制御する。
【００３０】
制御装置１００は、ＣＰＵ（Central  Processing  Unit）１００ａ，ＲＯＭ（Read  Only  Memory）１００ｂ、ＲＡＭ（Random  Access  Memory）１００ｃを有する。ＣＰＵ１００ａはこれらの記憶領域に格納された各種レシピに従ってプラズマ処理を実行する。レシピにはプロセス条件に対する装置の制御情報であるプロセス時間、チャンバ内温度（上部電極温度、チャンバの側壁温度、ＥＳＣ温度など）、圧力（ガスの排気）、高周波電力や電圧、各種プロセスガス流量、伝熱ガス流量などが記載されている。以上、本実施形態に係るエッチング装置１０の全体構成について説明した。
【００３１】
［静電チャック表面の残留電荷］
次に、プラズマ処理による静電チャック表面の状態変化によって発生する残留電荷の状態について、図２を参照しながら説明する。図２（ａ）は、静電チャック１０６がプラズマ処理を行っていない、もしくはプラズマ処理時間が比較的短い場合の静電チャック表面の電荷の状態を示す。図２（ｂ）は、長時間のプラズマ処理により、静電チャック１０６に残留生成物Ｚが付着している場合の静電チャック表面の電荷の状態を示す。
【００３２】
まず、図２（ａ）の静電チャック１０６がプラズマ処理を行っていない、もしくはプラズマ処理時間が比較的短い場合について説明する。静電チャック１０６は、導電性のシート状のチャック電極１０６ａの表裏を誘電部材にて挟んだ構成をしている。プラズマ処理においては、直流電圧源１１２からチャック電極１０６ａに電圧を印加することにより生じるクーロン力によってウエハＷを静電チャック１０６に吸着させた上でエッチング処理を行う。その際にはウエハＷの裏面と静電チャック１０６の表面の間に伝熱ガス（Ｈｅ）が供給されている。また、エッチング処理後、チャック電極１０６ａへの電圧印加を停止した状態において静電チャック１０６からウエハＷを離脱させる際には、不活性ガスをチャンバ内へ導入し所定の圧力に維持し、プラズマ生成用の高周波電力を印加しながら弱いプラズマを生成した状態で、チャック電極への電圧印加を停止し、静電チャック及びウエハＷに存在する電荷を除電するプラズマ除電処理が行われる。プラズマ除電処理後、支持ピン８１を上昇させてウエハＷを静電チャック１０６から持ち上げ、ウエハＷを静電チャック１０６から離脱させる。
【００３３】
ところが、図２（ｂ）に示したように、静電チャック１０６の表面には、長時間のプラズマ処理により、堆積物が付着することによって残留生成物Ｚの絶縁層が形成される。そうすると、絶縁層に電荷が蓄積され、チャック電極１０６ａへの電圧印加を停止しても絶縁層に蓄積された電荷は静電チャック１０６の表層に残留することになる。この残留した電荷は上述の除電処理を行っても除電することが難しい。その結果、残留電荷による静電吸着力が残った状態で支持ピン８１を上昇することにより、ウエハＷに割れやズレが生じる原因となる。
【００３４】
特に、静電チャック１０６の表面が、凸形状等の突起により形成されている場合には、静電チャック１０６の突起表面に残留生成物Ｚが堆積する。よって、ウエハ裏面の酸化膜との関係で電荷が蓄積する領域は突起の表面となり、ウエハ裏面の面積の約半分程度となる場合もある。したがって、静電チャック１０６の表面の突起が形成されていない場合に比べて、静電チャック１０６表面に突起が形成された場合は、より高密度の電荷が蓄積されることとなる。
【００３５】
一方、プラズマ除電に用いるプラズマ自体は、ウエハへのエッチング処理が行われない程度の低い高周波電力により生ずるものであるから、除電に寄与するイオン、電子の量も蓄積した電荷を中和するまでには至らない程度の発生量となっている場合が多い。その結果、ウエハの裏面に、より高い密度で残留電荷が蓄積する場合には、その残留電荷を十分に除去できないことがある。そして、このような残留吸着がある状態で、ウエハＷを支持ピン８１により上昇させると、支持ピン８１を駆動するモータ８４のトルク値が高くなる。つまり、トルク値は、ウエハＷが静電チャック１０６に吸着する吸着力を表す指標となりうる。更に、トルク値はモータ８４に印加する電圧に比例する。したがって、モータ８４の電圧値をモニターすることで、吸着力の状態を把握することができる。例えば、プラズマ除電方法において、ウエハＷのリフトアップの際のモータ電圧値は、本実施形態で用いたモータ仕様においては約０．４Ｖ以上になると、ウエハＷの割れや欠けといった物理的な損傷を引き起こす可能性が高くなることがわかっている。このようにしてモータ電圧値から半導体製造装置に使用されるウエハＷが破壊に至る状態を経験上導き出すことができる。図３（ａ）に示した従来のプラズマ除電では、モータ電圧値の最大値は約０．４０９Ｖとなっているので、ウエハＷが損傷する可能性は高くなっていることがわかる。
【００３６】
［高圧ステップ／ガス種］
本実施形態にかかるウエハ離脱の制御方法では、伝熱ガスとして一般に用いられているヘリウムガスよりも、よりイオン化エネルギーが低いガス（電離電圧の低いガス）を静電チャック１０６表面とウエハＷ裏面との間に導入し、その空間を高圧にする。図２７の表（物理学辞典、編者：物理学辞典編集委員会、発行者：山本格、発行所：株式会社培風館）に示したイオン化エネルギーのうち項目「Ｉ」は、中性原子から最外殻の電子１個を取り出すのに要するエネルギーを示す。
【００３７】
イオン化エネルギーが低い（電離電圧が低い）ガスは、より電子の授受が行われ易い。したがって、本実施形態においては、ヘリウムガスよりイオン化エネルギーが低いガスを静電チャック１０６表面とウエハＷ裏面との間に十分に供給することにより、ウエハＷ裏面と静電チャック１０６表面間に存在する残留電荷と供給されたイオン化エネルギーが低いガスとの間における電子の授受を促進させることができる。
【００３８】
図３（ｃ）は、ヘリウムガスよりイオン化エネルギーが低いガスの一例としてアルゴンガス（Ａｒ）が供給された場合の概念図である。プラズマ除電後、アルゴンガスを供給することによりウエハＷ裏面と静電チャック１０６表面との間をアルゴンガスが充填されている高圧状態にすることで、残留電荷とアルゴンガスとの間において電子の授受を促進させ、残留電荷の除電を行う。図３（ｃ）に示したように、ガス状態が低圧力の場合より高圧力の場合のほうが、静電チャック表面の堆積膜とウエハ裏面との間で、アルゴンガスを介した電荷交換をより促進することができる。このようにして、ヘリウムガスよりイオン化エネルギーが低いガスを介して、静電チャックの表層に残留した電荷の除電を行い、モータ電圧値を下げる、すなわちウエハＷの損傷する可能性を低減することができる。
【００３９】
図３（ｂ）は、プラズマ除電後、アルゴンガスを導入し、ウエハＷ裏面と静電チャック１０６表面の間の圧力をプラズマ処理中の圧力より高い圧力に維持する処理（以下、高圧ステップと呼ぶ。）を行った実験結果である。この実験結果によれば、モータ電圧値の最大値は約０．２７１Ｖであった。この値は、ウエハＷの損傷を判定するための閾値である０．４Ｖより小さい値である。よって、この実験結果によれば、高圧ステップ後、スムーズにウエハＷを静電チャック１０６から離脱させることができることが分かった。つまり、プラズマ除電後、アルゴンガス等のヘリウムガスよりイオン化エネルギーが低いガスを供給し、ウエハＷ裏面と静電チャック１０６表面の間を高圧にし、ガスの吸着による除電を行うことにより、支持ピン８１を昇降する際のトルクを下げることができる。これにより、ウエハを損傷なく静電チャック１０６から離脱させることができることが証明された。
【００４０】
図４（ａ）及び図４（ｂ）は、伝熱ガスとして一般に用いられているヘリウムガスをウエハＷ裏面と静電チャック１０６表面の間に導入した場合のモータ電圧値の実験結果である。図４（ａ）では、ウエハＷ裏面と静電チャック１０６表面の間の圧力をプラズマ処理中の圧力より高い圧力にする高圧ステップは行わないが、図４（ｂ）は、前記高圧ステップを行う。
【００４１】
これによれば、図４（ａ）の場合、最大モータ電圧値は０．４６１Ｖであったのに対して、図４（ｂ）の場合、最大モータ電圧値は０．４２１Ｖであった。よって、ヘリウムガスを導入した場合には、高圧ステップを実行してもしなくても、モータ電圧値はさほど変わらず、いずれも最大モータ電圧値は、ウエハＷの損傷を判定するための閾値０．４Ｖより大きい値となるため、ウエハＷ損傷の可能性が高くなっていることがわかる。
【００４２】
図２７の表を参照すると、中性原子の場合「Ｉ」のヘリウムガスのイオン化エネルギーは約２４．６であり、ヘリウムガスは、残留電荷の移動に寄与する程、最外殻の電子の授受が行われ易い原子とはいえない。従って、ヘリウムガスより低いイオン化エネルギーを有する原子を高圧ステップで供給することが必要であるといえる。図２７の表では、ヘリウムより低いイオン化エネルギーを有する原子の一例として、アルゴンの「１５．７」、窒素の「１４．５」、酸素の「１３．６」が挙げられる。
【００４３】
［制御部の機能構成］
次に、除電処理も含めたプロセス処理を制御する制御装置１００の機能構成について、図５を参照しながら説明する。制御装置１００は、プロセス実行部２５５、制御部２６０、記憶部２６５及び取得部２７０を有する。
【００４４】
記憶部２６５には、エッチング処理を実行するための複数のプロセスレシピが予め記憶されている。プロセス実行部２５５は、記憶部２６５に記憶された複数のレシピのうち、所望のプロセスレシピを選択してそのプロセスレシピに従いエッチング処理を制御する。エッチング処理は、図１のエッチング装置１０を使用して実行される。
【００４５】
制御部２６０は、エッチング装置１０内の各部を制御する。特に、本実施形態では、制御部２６０にて行われる制御のうち、静電チャック１０６の脱着についての制御を中心に説明する。制御部２６０は、静電チャック１０６の脱着を制御するために、直流電圧源１１２の電圧を制御し、チャンバＣへのガスの供給を制御するために、ガス供給源１２０を制御し、支持ピン８１の昇降を制御し、ウエハＷ裏面への伝熱ガスの供給を制御するために、伝熱ガス供給源８５を制御する。また、プラズマ除電のための高周波電力の印加のために、高周波電源１１０ａを制御する。排気装置１７３による排気制御も行う。
【００４６】
記憶部２６５は、例えば半導体メモリ、磁気ディスク、または光学ディスクなどを用いてＲＡＭ、ＲＯＭとして実現されうる。レシピは、記憶媒体に格納して提供され、図示しないドライバを介して記憶部２６５に読み込まれるものであってもよく、また、図示しないネットワークからダウンロードされて記憶部２６５に格納されるものであってもよい。また、上記各部の機能を実現するために、ＣＰＵに代えてＤＳＰ（Digital  Signal  Processor）が用いられてもよい。なお、制御部２６０の機能は、ソフトウエアを用いて動作することにより実現されてもよく、ハードウエアを用いて動作することにより実現されてもよい。
【００４７】
モニタ２７５は、チャンバＣ内の圧力を定常状態にするために予め定められた時間経過後、少なくとも１０秒間、静電チャック１０６の電圧をモニタする（監視ステップ）。取得部２７０は、モニタした結果の検出値を取得する。以上、本実施形態に係る制御装置１００の機能構成について説明した。
【００４８】
[離脱制御方法]
次に、本実施形態に係る離脱制御方法について、図６及び図７を参照しながら説明する。図６は、本実施形態に係るウエハＷの離脱制御方法を示したフローチャートである。図７（ａ）は、本実施形態に係るウエハＷの離脱制御方法を示したタイムチャートである。図７（ｂ）は、比較するウエハＷの離脱制御方法を示したタイムチャートである。本実施形態に係る離脱制御方法では、ウエハＷを静電吸着する静電チャック１０６からウエハＷを損傷させることなく離脱させる。
【００４９】
プラズマ（エッチング）処理ステップは、主にプロセス実行部２５５により制御、実行される。除電ステップ、高圧ステップおよび離脱ステップは、主に制御部２６０により制御される。
【００５０】
まず、ウエハＷがチャンバ内へ搬入され、プラズマ処理ステップが実行される。最初に、プロセスガスが導入され、チャンバ内が所定の圧力に維持される（Ｓ１００）。図７のＳｔｅｐ１はステップＳ１００に対応し、本実施形態では、アルゴンガス８００ｓｃｃｍ、圧力８０ｍＴｏｒｒ（１０．６Ｐａ）に制御される。
【００５１】
次に、高周波電力をチャンバＣ内に導入し、プラズマを発生させる（Ｓ１０１）。図７のＳｔｅｐ２はステップＳ１０１に対応し、本実施形態では、３５０Ｗの高周波電力（ＨＦ）を下部電極に印加するように制御される。なお、上部電極に高周波電力（ＨＦ）を印加するエッチング装置を使用してもよい。
【００５２】
次に、プラズマ発生後、チャック電極１０６ａに電圧を印加し、ウエハＷを静電吸着させる（Ｓ１０２）。図７のＳｔｅｐ２はステップＳ１０２にも対応し、本実施形態では、Ｓｔｅｐ２の途中でチャック電極１０６ａに電圧を印加（ＨＶ  ＯＮ）するように制御される。
【００５３】
安定化後、ウエハＷの裏面と静電チャック１０６の表面の間に伝熱ガスとして機能するヘリウムガスを供給し、その状態で所定時間プロセス（エッチング処理）を行う（Ｓ１０３）。図７のＳｔｅｐ３、Ｓｔｅｐ４はステップＳ１０３に対応し、本実施形態では、Ｓｔｅｐ３の開始時に伝熱ガスが供給され、Ｓｔｅｐ４でレシピに基づき各種プロセス条件下でエッチング処理が実行される。
【００５４】
プロセス終了後、プロセスガス及び高周波電力の供給を停止し（Ｓ１０４）、伝熱ガスの供給を停止する（Ｓ１０５）。次に、除電ステップが実行される。除電ステップは、プラズマ処理後にチャンバ内に不活性ガスを導入し除電処理を行うステップである。除電ステップでは、まず、アルゴンガスを導入し、チャンバＣ内を所定の圧力に維持する（Ｓ１０５）。図７のＳｔｅｐ４後の時間Ｔ１はステップＳ１０４〜Ｓ１０６に対応し、本実施形態では、プロセスガス及び高周波電力の供給を停止する。伝熱ガスの供給を徐々に減らして停止しながら、６００ｓｃｃｍのアルゴンガスを導入するとともに、チャンバＣ内の圧力を１５０ｍＴｏｒｒに制御する。
【００５５】
安定化後、チャック電極１０６ａへの電圧印加を停止（０Ｖ）し、弱いプラズマを生成しながら除電する（Ｓ１０７：プラズマ除電)。図７のＳｔｅｐ４後のＴ２時間は安定化のための時間であり、本実施形態では、Ｔ２時間経過後、チャック電極１０６ａへの電圧印加を停止（０Ｖ）し、プラズマ除電が行われる。ここまでの処理は、図７（ａ）に示した本実施形態、及び図７（ｂ）に示した比較例としてのウエハＷの離脱制御方法で変わりはない。図７（ａ）に示した本実施形態のウエハＷの離脱制御方法では、ウエハ離脱ステップとして高圧ステップを実行する点で、図７（ｂ）に示したウエハＷの離脱ステップと異なる。
【００５６】
具体的には、図７（ａ）に示した高圧ステップでは、除電ステップ後、ヘリウムガスよりイオン化エネルギーが低いガスとしてアルゴンガスを除電処理ステップにおける流量より多い流量に制御して供給する（Ｓ１０８）。チャンバＣ内の圧力をプラズマ処理における圧力又は除電処理ステップにおける圧力より高い圧力に設定及び維持する（Ｓ１０９）。
【００５７】
高圧ステップ中又は高圧ステップ後、ウエハＷを支持ピン８１で静電チャック１０６から離脱させる離脱ステップを実行し（Ｓ１１０）、本処理を終了する。離脱ステップは、チャンバＣ内の圧力が定常状態になってからウエハＷを支持ピン８１で静電チャック１０６から離脱させることが好ましい。これにより、ウエハＷを損傷させることなく、確実に静電チャック１０６から離脱させることができる。本実施形態では、チャンバ圧力を９００ｍＴの高圧に維持し、アルゴンガス１４００ｓｃｃｍを導入し、３０秒保持後、支持ピン８１によるウエハＷの離脱が行われる。
【００５８】
上述のように高圧ステップにて導入するアルゴンガスの流量は、除電ステップにおけるアルゴンガスの流量より多いことが好ましい。これにより、静電チャック１０６の表面の絶縁層ＺとウエハＷ裏面との間で電荷交換をより促進することができる。また、ガス流量を増加させることにより、チャンバ内を迅速に高圧に制御できる。
【００５９】
これに対して、比較例のウエハの離脱ステップでは、プラズマ除電時の条件を概ね保持したままで支持ピンによるウエハＷの離脱が行われ、ウエハ離脱時、チャンバＣ内は高圧状態になっていない。
【００６０】
[効果の例]
以下では、上記実施形態の離脱制御方法による効果について説明する。図８は、一実施形態に係る高圧ステップにおける静電チャック電圧の振れを説明するための図である。図８（ａ）は、図７のタイムチャートのうち、Ｔ１（８ｓ）→Ｔ２（２ｓ）→Ｄｅｌａｙ（１ｓ）→高圧ステップ（Ｔ３＋Ｔ３'（３０ｓ））における、プラズマ生成用の高周波電力ＲＦ（Ｗ）、静電チャックの電圧ＥＳＣ＿Ｖ（Ｖ）、チャンバ内の圧力Ｐｒｅｓ．（ｍＴ）、アルゴンガスＡｒ（ｓｃｃｍ）のプロセス中の履歴を示す。また、図８（ｂ）に示したように、１０枚以上のウエハについて実験を行った結果、本離脱制御方法により発生するウエハ離脱時の最大モータ電圧値は、０．２５ｖより若干小さい値で安定していることが分かった。図８（ａ）は、実験した複数枚のウエハのうち、選択した４枚のウエハについてのプロセス履歴を示す。更に、図９〜図１２には、図８（ａ）に示した４枚のウエハのうち、１枚目、２枚目、３枚目、４枚目のウエハのプロセス履歴を別々に示す。
【００６１】
Ｔ２経過後、圧力を９００ｍＴと高圧に制御し、かつ、アルゴンガス１４００ｓｃｃｍを供給して、３０秒維持する高圧ステップを実行する。そうすると、Ｔ２経過時に静電チャック１０６へ印加する電圧（ＥＳＣ＿Ｖ）を停止（０Ｖ）したにもかかわらず、高圧ステップにて、すべてのウエハで静電チャック１０６の電圧に振れが発生している。図８の破線の楕円内の静電チャック１０６の電圧ＥＳＣ＿Ｖ及び図９〜図１２に示した静電チャック１０６の電圧ＥＳＣ＿Ｖである。これは、図３（ｃ）の高圧力の場合に示したように、イオン化エネルギーの低いアルゴンガスが介在した残留電荷の移動を検出した結果であると考えられる。つまり、イオン化エネルギーの低いアルゴンガスにより、静電チャック１０６表面の絶縁層ＺとウエハＷ裏面との間で電荷交換をより促進することができる。これにより、静電チャック１０６の表面の残留電荷を減少させることができる。以上から、高圧ステップの実行により、ウエハの損傷のリスクは低くなることが実証された。
（高圧ステップ／圧力）
次に、高圧ステップにおける圧力依存について実験した結果を、図１３を参照しながら説明する。図１３は、本実施形態に係る高圧ステップにおける静電チャックの電圧の圧力依存を示す。
【００６２】
高圧ステップにおける圧力は、５０ｍＴ，１００ｍＴ、３００ｍＴ，５００ｍＴ、６００ｍＴ，７００ｍＴ，８００ｍＴ、８５０ｍＴ，９５０ｍＴに設定した。図１３は、Ｔ１（８ｓ）→Ｔ２（２ｓ）→Ｄｅｌａｙ（１ｓ）→高圧ステップにおける、高周波電力（ＨＦ）、静電チャックの電圧、チャンバ内圧力（可変）、アルゴンガスのプロセス中の履歴を示す。
【００６３】
これによれば、Ｔ２時間経過後、静電チャック１０６への電圧印加を停止（０Ｖ）したにもかかわらず、アルゴンガスを１４００ｓｃｃｍ供給し、上記のいずれかの圧力に制御した高圧ステップにて、静電チャック１０６の電圧に振れが発生している。
【００６４】
具体的には、図１４に示したように、９５０ｍＴに圧力を設定した場合、チャック電圧のピークが２回見られた。図１５に示したように、６００ｍＴに圧力を設定した場合、チャック電圧のピークが１回見られた。６００ｍＴ〜９５０ｍＴの間の圧力においても図示は省略するが、チャック電圧のピークが見られた。
【００６５】
これに対して、５００ｍＴ以下に圧力を設定した場合、チャック電圧のピークは見られなかった。５０ｍＴに圧力を設定した場合の図示は省略するが、たとえば、図１６に示したように、５００ｍＴ、３００ｍＴ、１００ｍＴに圧力を設定した場合、チャック電圧のピークは見られない。
【００６６】
この結果から、低圧に設定するほど、静電チャックの電圧の振れは生じにくい傾向があり、低圧になるほど残留電荷の移動が減ることがわかった。特に、５００ｍＴ以下では静電チャックの電圧のピークはまったく検出されなかった。
【００６７】
更に、高圧ステップ後、ウエハＷを支持ピンで離脱する際、１００ｍＴに圧力を設定した場合、ウエハＷは割れ、３００ｍＴ及び５００ｍＴに圧力を設定した場合、ウエハＷに跳ねが生じたことを目視により検出した。
【００６８】
以上から、高圧ステップにおいては、チャンバ内の圧力を５００ｍＴ（６６．７Ｐａ）より大きい値に設定することが好ましいことがわかった。
（高圧ステップ／圧力とウエハの表面電位）
以上の高圧ステップにおける残留電荷の移動は、ウエハの表面電位を測定することにより明らかにできる。図１７は、本実施形態に係るウエハの表面電位を計測するための表面電位計を含む装置構成を示した図である。図１８は、本実施形態の高圧ステップにおけるウエハの表面電位の計測結果を示した図である。
【００６９】
図１７に示した表面電位計を含む装置構成について簡単に説明する。チャンバＣ内にてアルミ配線２００を載置台１０２に載置されたウエハＷに接続される。アルミ配線２００は、チャンバ側壁１５０を貫通させて、チャンバＣ外まで這わせる。チャンバ側壁１５０の貫通部分はＯリング１５５により封止されるため、チャンバＣ内の気密は保持される。チャンバＣ外において、アルミ配線２００はＲＦフィルタ２０１に接続される。ＲＦフィルタ２０１では、交流電圧ＡＣの高周波成分を取り除き、直流電圧ＤＣのみ出力する。ＲＦフィルタ２０１の出力側にて、アルミ配線２０は銅の円板２０２に接続される。円板２０２は台２０３に置かれ、台２０３は接地されている。表面電位計２０４は、非接触式であり、円板２０２の表面電位を測定する。測定値は、表面電位計２０４に接続されたＰＣ２０５に送られ、ＰＣ２０５で解析される。表面電位計２０４による測定値は、ウエハＷの表面電位と同電位である。よって、本装置を用いて、円板２０２の表面電位を測定することにより、ウエハＷの表面電位を計測することができる。
【００７０】
本実施形態では、チャンバ内圧力８０ｍＴ，プラズマ生成用の高周波電力４００Ｗ、バイアス用の高周波電力２００Ｗ、直流電圧源１１２からの電圧１５０Ｖ、ガス種及びガス流量Ｃ４Ｆ８／Ａｒ／Ｏ２＝６０／２００／３８ｓｃｃｍ、プロセス時間１０ｓのプロセス条件下でプラズマ処理を行った。その後、高圧ステップにおけるウエハの表面電位を測定した。その結果を図１８に示す。
【００７１】
図１８を考察すると、高圧ステップにおけるチャンバ内圧力を９００ｍＴ，６００ｍＴ，３００ｍＴ，１００ｍＴと設定した場合、高圧に設定するほど、ウエハの表面電位が下がることがわかった。これは、高圧ステップにおけるチャンバ内圧力を高圧に設定するほど、イオン化エネルギーの低いアルゴンガスを介在させて静電チャック表面の残留電荷の移動が促進され、ウエハの表面電位が低くなったと考えられる。
【００７２】
また、いずれの圧力の場合にも、高圧ステップ開始後、７秒程度でウエハの表面電位が安定していることがわかる。よって、高圧ステップ開始後、１０秒以内に残留電荷の移動はほぼ収束することが予測される。
（高圧ステップ／プロセス時間）
次に、高圧ステップにおけるプロセス時間を可変にした場合の実験結果について、図１９を参照しながら説明する。図１９は、本実施形態の高圧ステップにおける吸着状況の時間依存を示した図である。
【００７３】
このときの高圧ステップのプロセス条件は、圧力９００ｍＴ，アルゴンガス１４００ｓｃｃｍの状態で、プロセス時間を５秒、１０秒、１５秒、２０秒、３０秒に設定した。各設定時間経過後直ちに支持ピンでウエハを離脱させた場合の最大モータ電圧値を図１９に示す。なお、図１９のＮｏｒｍａｌ（ノーマル）には、チャンバ内圧力１５０ｍＴ、アルゴンガス６００ｓｃｃｍの低圧プロセス条件において、支持ピンでウエハを離脱させた場合の最大モータ電圧値が示される。
【００７４】
これによれば、高圧ステップにおけるプロセス時間が１５秒より短くなると、最大モータ電圧値は上昇することがわかった。
（高圧ステップ／ガス種）
次に、高圧ステップのガス種を変化させた場合の実験結果について、図２０〜図２３を参照しながら説明する。図２０は、本実施形態の高圧ステップにおける吸着状況のガス依存を示した図である。図２１〜図２３は、本実施形態の高圧ステップにおけるガス種と静電チャックの電圧を示した図である。
【００７５】
図２０では、Ｎｏｒｍａｌ（ノーマル）には、チャンバ内圧力１５０ｍＴ、アルゴンガス６００ｓｃｃｍの低圧プロセス条件において、支持ピンでウエハを離脱させた場合の最大モータ電圧値が示される。
【００７６】
また、比較例（Ｒｅｆ．）における高圧ステップにおけるプロセス条件は、圧力９５０ｍＴ（１２６．６Ｐａ）、ガス種Ａｒ＝１４００ｓｃｃｍである。これに対して、ガス種を変更させた高圧ステップを２種類選択した。一つは、圧力９５０ｍＴ、ガス種及びガス流量Ｏ２／Ａｒ＝６００／１４００ｓｃｃｍの混合ガスである。もう一つは、圧力１１５０ｍＴ（１５３．３Ｐａ）、ガス種及びガス流量Ｎ２＝２０００ｓｃｃｍの単一ガスである。
【００７７】
実験結果によれば、比較例である圧力９５０ｍＴ、ガス種Ａｒ＝１４００ｓｃｃｍの単一ガスの場合と比較して、Ｏ２及びＡｒの混合ガスの場合、Ｎ２の単一ガスの場合のいずれも、ノーマルの場合と比べて最大モータ電圧値は小さくなっていることがわかる。
【００７８】
また、図２１に示したノーマル（チャンバ内圧力１５０ｍＴ、アルゴンガス６００ｓｃｃｍの低圧プロセス条件）の場合、静電チャックの電圧の振れは検出されなかった。
【００７９】
一方、図２２に示した圧力９５０ｍＴ、ガス種及びガス流量Ａｒ／Ｏ２＝１４００／６００ｓｃｃｍの混合ガスの場合には、静電チャックの電圧の振れが検出された。同様に、図２３に示した圧力１１５０ｍＴ、ガス種及びガス流量Ａｒ／Ｏ２＝１４００／６００ｓｃｃｍの混合ガスの場合にも、静電チャックの電圧の振れは検出された。
【００８０】
図２４、図２５、図２６は、チャンバ内圧力を９００ｍＴに設定した高圧ステップにおいて、ガス種を替えた場合の実験結果である。図２４では、アルゴンガス１４００ｓｃｃｍのみ、図２５では、Ｏ２ガス１４００ｓｃｃｍのみ、図２６では、Ｎ２ガス１４００ｓｃｃｍのみを供給する。高圧ステップにおいていずれのガス種を供給しても、静電チャックの電圧の振れは検出された。
【００８１】
以上から、高圧ステップにて供給可能な「ヘリウムよりイオン化エネルギーが低いガス」としては、アルゴンガス（Ａｒ）に限らず、酸素ガス（Ｏ２）、窒素ガス（Ｎ２）の単一ガス、及びアルゴンガス、酸素ガス、窒素ガスから２種以上選択された混合ガスであってもよいことがわかった。その他、高圧ステップにて供給可能な「ヘリウムよりイオン化エネルギーが低いガス」としては、図２７の表に開示されるヘリウムのイオン化エネルギー「２４．５８７」より小さいイオン化エネルギーを持つガスを選択することができる。
【００８２】
以上、本実施形態に係る離脱制御方法によれば、プラズマ処理後にチャンバ内に不活性ガスを導入し、除電処理を行う除電ステップと、ウエハＷを支持ピンで静電チャック１０６から離脱させる離脱ステップとの間に、ヘリウムガスよりイオン化エネルギーが低いガスを導入し、チャンバＣ内の圧力をプラズマ処理における圧力より高い圧力に維持する高圧ステップを設けたことにより、静電チャック表層の残留電荷による吸着を防ぐことができる。この結果、静電チャックからの離脱時にウエハＷに損傷を与えることを防止し、生産性を高めることができる。
【００８３】
[離脱制御方法の変形例]
最後に、本実施形態の変形例に係るウエハＷの離脱制御方法について、図２８及び図２９を参照しながら説明する。図２８は、本実施形態の変形例に係る離脱制御方法を実行するためのフローチャートである。図２９は、変形例に係る離脱制御方法を説明するための図である。
【００８４】
ステップＳ１００〜Ｓ１０５のプラズマ処理ステップ、ステップＳ１０６及びＳ１０７の除電ステップは、Ｓ１０２にて静電チャックの電圧のモニタを開始する点を除き、図６に示した本実施形態の離脱制御方法と同様であるため、ここでは説明を省略し、ステップＳ１０８以降の高圧ステップ及び離脱ステップについて説明する。
【００８５】
除電ステップ後、ヘリウムガスよりイオン化エネルギーが低いガスとしてアルゴンガスをより流量を増やして供給し（Ｓ１０８）、チャンバＣ内の圧力をプラズマ処理における圧力（又は除電処理における圧力）より高い圧力に設定する（Ｓ１２０）。
【００８６】
予め定められた時間Ｔ３が経過したか判定し（Ｓ１２１）、時間Ｔ３経過後（圧力安定化後）、時間Ｔ３'の間に所定以上の静電チャックの電圧変動を検出したかを判定する（Ｓ１２２）。検出した場合、静電チャック表層に所定量以上の残留電荷が存在すると判定し、ウエハの離脱を停止し（Ｓ１２３）、本処理を終了する。図２９（ａ）では、時間Ｔ３'の間に静電チャックの電圧変動Ｅ３を検出したため、ウエハの離脱を停止する。
【００８７】
Ｓ１２２で静電チャックの電圧変動を検出しなかった場合、時間Ｔ４の間に所定以上の静電チャックの電圧変動を検出したかを判定する（Ｓ１２４）。検出しなかった場合、ウエハを離脱し（Ｓ１２５）、本処理を終了する。図２９（ｂ）では、時間Ｔ３'及び時間Ｔ４の間に静電チャックの電圧変動を検出しなかったため、支持ピンでウエハを離脱する。
【００８８】
一方、Ｓ１２４で静電チャックの電圧変動を検出した場合、ウエハの離脱を停止させ（Ｓ１２５）、本処理を終了する。図２９（ａ）にて仮に時間Ｔ３'の間に静電チャックの電圧変動がなかった場合であっても、時間Ｔ４の間に静電チャックの電圧変動Ｅ４を検出した場合、ウエハの離脱を停止する。
【００８９】
なお、Ｓ１２４は省略可能であり、Ｓ１２２で時間Ｔ３'の間に静電チャックの電圧変動を検出しなかった場合、Ｓ１２４を実行せずに直ちにウエハを離脱してもよい。
【００９０】
また、時間Ｔ３と時間Ｔ３'の合計時間は、高圧ステップの総時間であり、例えば３０秒であってもよい。このとき、圧力の変動が±５％以内になったら圧力が安定したと判定し、時間Ｔ３を終了し、時間Ｔ３'を開始してもよい。
【００９１】
以上、本実施形態の変形例に係る離脱制御方法によっても、高圧ステップを設けたことにより、静電チャック表層の残留電荷を減らし、吸着を防ぐことができる。更に、本実施形態の変形例によれば、変形例に係る離脱制御方法によっても、万が一、静電チャック表層の残留電荷を所定値以下まで減らすことができなかった場合には、ウエハＷの離脱処理を停止することにより、ウエハの破損を防ぐことができる。
【００９２】
以上、本離脱制御方法及び該離脱制御方法を使用するプラズマ処理装置を実施例により説明したが、本発明は上記実施例に限定されるものではなく、本発明の範囲内で種々の変形及び改良が可能である。また、実施形態及び変形例が複数存在する場合、矛盾しない範囲で組み合わせることができる。
【００９３】
例えば、上記実施形態及び変形例では、除電ステップにてチャンバ内に導入するガスと、高圧ステップにてチャンバ内に導入するガスとは同一ガスである例を示したが、これに限らず、異なるガスであってもよい。ただし、除電ステップと高圧ステップにて供給するガスは同一ガスであるほうが好ましい。
【００９４】
また、例えば、本発明に係るプラズマを発生させる手段としては、容量結合型プラズマ(ＣＣＰ:Capacitively Coupled Plasma)発生手段、誘導結合型プラズマ(ＩＣＰ:Inductively Coupled Plasma)発生手段、ヘリコン波励起型プラズマ（ＨＷＰ：Helicon Wave Plasma）発生手段、ＲＬＳＡ（Radial Line Slot Antenna）マイクロ波プラズマやＳＰＡ（Slot Plane Antenna）プラズマを含むマイクロ波励起表面波プラズマ発生手段、電子サイクロトロン共鳴プラズマ（ＥＣＰ：Electron Cyclotron resonance Plasma）発生手段、上記発生手段を用いたリモートプラズマ発生手段等を用いることができる。
【００９５】
本発明においてプラズマ処理を施される被処理体は、半導体ウエハに限られず、例えば、フラットパネルディスプレイ(FPD:Flat Panel Display)用の大型基板、ＥＬ素子又は太陽電池用の基板であってもよい。
【符号の説明】
【００９６】
１０：エッチング装置、８１：支持ピン、８５：伝熱ガス供給源、１００：制御装置、１０６：静電チャック、１０６ａ：チャック電極、１１０ａ：第１の高周波電源、１１２：直流電圧源、１２０：ガス供給源、２０４：表面電位計、２５５：プロセス実行部、２６０：制御部、２６５：記憶部、２７０：取得部、２７５：モニタ、Ｃ：チャンバ
【図１】
2014056928.tif 000003
【図２】
2014056928.tif 000004
【図３】
2014056928.tif 000005
【図４】
2014056928.tif 000006
【図５】
2014056928.tif 000007
【図６】
2014056928.tif 000008
【図７】
2014056928.tif 000009
【図８】
2014056928.tif 000010
【図９】
2014056928.tif 000011
【図１０】
2014056928.tif 000012
【図１１】
2014056928.tif 000013
【図１２】
2014056928.tif 000014
【図１３】
2014056928.tif 000015
【図１４】
2014056928.tif 000016
【図１５】
2014056928.tif 000017
【図１６】
2014056928.tif 000018
【図１７】
2014056928.tif 000019
【図１９】
2014056928.tif 000020
【図２０】
2014056928.tif 000021
【図２１】
2014056928.tif 000022
【図２２】
2014056928.tif 000023
【図２３】
2014056928.tif 000024
【図２４】
2014056928.tif 000025
【図２５】
2014056928.tif 000026
【図２６】
2014056928.tif 000027
【図２７】
2014056928.tif 000028
【図２８】
2014056928.tif 000029
【図２９】
2014056928.tif 000030
【図１８】
2014056928.tif 000031